(57)【特許請求の範囲】
【請求項１】
ワイヤレス・ネットワークを介して発呼側ユーザ機器（ＵＥ）から着呼側ＵＥへモバイル終端コールを配信するための方法であって、
前記モバイル終端コールが生じた場合に、前記着呼側ＵＥに関連付けられているホーム・ロケーション・レジスタ（ＨＬＲ）から、前記発呼側ＵＥの識別子を少なくとも含むローミング番号提供（ＰＲＮ）メッセージを受信するステップと、
ページング要求をモビリティー・マネージメント・エンティティー（ＭＭＥ）へ送信するステップであり、前記ページング要求が、前記着呼側ＵＥをページングし始めることを前記ＭＭＥに行わせる、ステップと、
前記着呼側ＵＥがＥＭＭ接続モードにあるということを示すＳＧｓサービス要求メッセージを前記ＭＭＥから受信するステップと、
前記ページング要求への応答を前記着呼側ＵＥから受信する前に移動局ローミング番号（ＭＳＲＮ）をＰＲＮ肯定応答（ＰＲＮ  Ａｃｋ）メッセージ内に含めて前記ＨＬＲへ送信するステップとを含む方法。
【請求項２】
前記ページング要求が前記ＭＭＥによって肯定応答されるとすぐに前記ＰＲＮ  Ａｃｋメッセージを送信するステップと、
前記ＵＥが前記コールに応答しないか、または前記ページング要求を拒否した場合に、ＩＡＭが受信されるとすぐにコール転送プロセスを開始するステップと
をさらに含む、請求項１に記載の方法。
【請求項３】
前記ＭＭＥからの前記ＳＧＳサービス要求メッセージが受信された場合にガード・タイマーをセットし、前記ガード・タイマーが切れた後に前記ＰＲＮ  Ａｃｋメッセージを送信するステップをさらに含み、
前記ＵＥが、前記ガード・タイマーが切れる時間までに前記コールに応答しないか、または前記ガード・タイマーが切れる前に前記ページング要求を拒否した場合に、ＰＲＮ  ｎａｃｋメッセージが前記ＨＬＲへ送信され、コール転送プロセスが開始される、
請求項１に記載の方法。
【請求項４】
着呼側ＵＥがＬＴＥ（ロング・ターム・エボリューション）デバイスであり、前記モバイル終端コールが回線交換ネットワークから生じ、ページング要求を送信する前記ステップが、回線交換ページングを前記モバイル・デバイス内のＬＴＥ無線機へ送信するステップをさらに含む、請求項１に記載の方法。
【請求項５】
前記ワイヤレス・ネットワークが、モバイル終端ローミング転送機能を含む、請求項１に記載の方法。
【請求項６】
発呼側ＵＥから着呼側ＵＥへモバイル終端コールを配信するためにテレコミュニケーション・ネットワークにおいて使用するための装置であって、
前記モバイル終端コールが生じた場合に、前記着呼側ＵＥに関連付けられているホーム・ロケーション・レジスタ（ＨＬＲ）から、前記発呼側ＵＥの識別子を少なくとも含むローミング番号提供（ＰＲＮ）メッセージを受信するステップと、
ページング要求をモビリティー・マネージメント・エンティティー（ＭＭＥ）へ送信するステップであり、前記ページング要求が、前記着呼側ＵＥをページングし始めることを前記ＭＭＥに行わせる、ステップと、
ＳＧｓサービス要求メッセージを前記ＭＭＥから受信するステップと、
前記ページング要求への応答を前記着呼側ＵＥから受信する前に移動局ローミング番号（ＭＳＲＮ）をＰＲＮ肯定応答（ＰＲＮ  Ａｃｋ）メッセージ内に含めて前記ＨＬＲへ送信するステップとを実行するように構成されている装置。
【請求項７】
前記ページング要求が前記ＭＭＥによって肯定応答されるとすぐに前記ＰＲＮ  Ａｃｋメッセージが送信され、さらに、前記着呼側ＵＥが前記コールに応答しないか、または前記ページング要求を拒否した場合に、ＩＡＭが受信されるとすぐにコール転送プロセスが開始される、請求項６に記載の装置。
【請求項８】
前記ＭＭＥからの前記ＳＧＳサービス要求メッセージが受信された場合にガード・タイマーをセットし、前記ガード・タイマーが切れた後に前記ＰＲＮ  Ａｃｋメッセージを送信するステップと、
前記着呼側ＵＥが、前記ガード・タイマーが切れる時間までに前記コールに応答しないか、または前記コールを拒否した場合に、ＰＲＮ  ｎａｃｋメッセージを前記ＨＬＲへ送信し、コール転送プロセスを開始するステップと
を実行するようにさらに構成されている、請求項６に記載の装置。
【請求項９】
前記着呼側ＵＥがＬＴＥ（ロング・ターム・エボリューション）デバイスであり、前記発呼側ＵＥが３Ｇデバイスであり、ページング要求を送信する前記ステップが、回線交換ページングを前記着呼側ＵＥ内のＬＴＥ無線機へ送信するステップをさらに含む、請求項６に記載の装置。
【請求項１０】
前記テレコミュニケーション・ネットワークが、モバイル終端ローミング転送機能を含む、請求項６に記載の装置。
【発明の詳細な説明】
【技術分野】
【０００１】
本発明は、一般にはワイヤレス通信システムに関し、より詳細には、プリページング中の回線交換フォールバック（ＣＳＦＢ）を提供するシステムにおいてモバイル終端コールを取り扱うことに関する。
【背景技術】
【０００２】
今日のワイヤレス・テレコミュニケーション・ネットワークは、世界のほとんどどこからでもテレコミュニケーション・サービスにアクセスする能力を電話加入者に提供する。そのような世界規模のアクセスを容易にすることに対する鍵は、モビリティー・マネージメントである。モビリティー・マネージメントを用いると、ワイヤレス・ネットワークは、移動局のロケーションを追跡把握することができ、それによって、モバイル・サービスがそれらの移動局へ配信されることが可能になる。
【０００３】
ワイヤレス・ネットワークは現在、第３世代（３Ｇ）と呼ばれるアーキテクチャーから、一般にＬＴＥ（ロング・ターム・エボリューション）として知られている４Ｇ（第４世代）アーキテクチャーへ移行している。これらのアーキテクチャーのそれぞれは、さまざまなモバイル・デバイス、またはユーザ機器（ＵＥ）、ならびに、それらのＵＥのためにワイヤレス・サービスを提供するさまざまなネットワーク・デバイスを有する。３ＧからＬＴＥへの移行が実施される際には、ＣＳ対応であるＬＴＥ  ＵＥのために３Ｇ  ＣＳコールを配信するためのシステムを提供することが必要である。このコール配信は、３Ｇネットワーク・デバイスとＬＴＥネットワーク・デバイスとの組合せを介して生じる。このシステムは、一般に回線交換フォールバック（ＣＳＦＢ）と呼ばれる。
【０００４】
３Ｇ  ＣＳワイヤレス・ネットワークは、典型的には複数のセルから形成され、それぞれのセルは、小さな地理的エリアをカバーし、そのエリア内で、ＵＥがモバイル・サービスを受信することができる。それぞれのセルは基地局を備えており、基地局はセルに無線カバレッジを提供し、それによって、セル内に位置しているＵＥとの通信を可能にする。複数の基地局のカバレッジを統合することによって、ワイヤレス・ネットワークは、大きな地理的エリアにわたって移動局に無線カバレッジを提供することができる。
【０００５】
３Ｇワイヤレス・ネットワークにおける近隣の基地局どうしの集まりのカバレッジ・エリアは一般に、それぞれがモバイル・スイッチング・センター（ＭＳＣ）によってサービス提供されるロケーション・エリアと呼ばれる。ＭＳＣは、回線交換呼び出し、モビリティー・マネージメント、およびその他のテレコミュニケーション／モバイル・サービスをＵＥに提供するネットワーク・ノードである。とりわけ、ＭＳＣは、ＭＳＣによってサービス提供されているロケーション・エリアのうちの１つの中に現在位置しているすべてのＵＥに関する加入者データを保持する。ＵＥ加入者データは、ワイヤレス・ネットワーク内のホーム・ロケーション・レジスタ（ＨＬＲ）において永久に保持される。ＵＥがＭＳＣのレンジ内にいる場合には、そのＭＳＣは、ＵＥ加入者データのコピーをＨＬＲから取得し、そのコピーを訪問ロケーション・レジスタ（ＶＬＲ）において保持する。ＵＥのロケーション・エリアはまた、モバイル終端コールのためにそのロケーション・エリア内のＵＥをＭＳＣがページングする目的で訪問ロケーション・レジスタ（ＶＬＲ）において保持される。ＵＥの現在のロケーション・エリアに関連付けられているＭＳＣは、移動局に関連した訪問モバイル・スイッチング・センター（ＶＭＳＣ）と呼ばれる。ＵＥ加入者を対象とするコールを受信するＭＳＣは、ゲートウェイ・モバイル・スイッチング・センター（ＧＭＳＣ）と呼ばれる。
【０００６】
発呼側ＵＥからのコールがＧＭＳＣにおいて受信された場合には、どのＶＭＳＣが着呼側ＵＥに現在サービス提供しているかを確かめるために着呼側ＵＥのＨＬＲが調べられ、次いでそのＨＬＲは、ローミング番号提供（ＰＲＮ）メッセージを使用してＶＭＳＣにローミング番号を要求する。ＶＭＳＣは、ＰＲＮ肯定応答メッセージを用いてＨＬＲにローミング番号を提供する。ＧＭＳＣは、ＨＬＲから受信されたローミング番号を使用して、初期アドレス・メッセージ（ＩＡＭ）をＶＭＳＣへ送信し、その後、ＶＭＳＣは着呼側ＵＥをページングする。着呼側ＵＥがＬＴＥデバイスである場合には、ＶＭＳＣは、ページング要求をモバイル・マネージメント・エンティティー（ＭＭＥ）へ送信し、ＭＭＥは、ＬＴＥワイヤレス・ネットワークにおける追跡把握手順およびページング手順を管理することを担当する。着呼側ＬＴＥ  ＵＥのための３Ｇ  ＣＳコールが３Ｇネットワークにおいて生じた場合には、ＭＳＣなどの３Ｇネットワーク・デバイスと、ＭＭＥのようなＬＴＥネットワーク・デバイスとの間における対話は、ＣＳＦＢを使用した手順のセットによって管理される。
【０００７】
通常は、上述のコール・セットアップ手順の結果、ワイヤレス・ネットワークを通じて終端ＭＳＣへコール・パスがセットアップされ、次いでＵＥがページングされる。いくつかの状況においては、このコール・パスは、ＵＥがそのコールに応じない場合には、不要であったことが判明する可能性があり、結果としてネットワーク・リソースの非効率的な使用を招く。
【０００８】
従来技術におけるこの状況に対する１つのソリューションがプリページングであり、プリページングでは、ＰＲＮ手順中に、すなわち、ＶＭＳＣがＰＲＮ  ＡｃｋメッセージをＧＭＳＣへ返す前に、ＵＥがページングされる。残念なことに、プリページングは、ＣＳＦＢとともには機能しない。
【先行技術文献】
【特許文献】
【０００９】
【特許文献１】米国特許出願第１３／３５０，９１８号
【発明の概要】
【発明が解決しようとする課題】
【００１０】
したがって、必要とされているのは、プリページングとともにワイヤレス・ネットワークにおいてＣＳＦＢシグナリングを実行するための手順である。
【課題を解決するための手段】
【００１１】
本発明の実施形態は、ワイヤレス・ネットワークにおいてプリページング中に回線交換フォールバックを提供するための方法および装置を開示する。
【００１２】
一実施形態においては、ワイヤレス・ネットワークを介して発呼側ユーザ機器（ＵＥ）から着呼側ＵＥへモバイル終端コールを配信するための方法が提供され、この方法は、モバイル終端コールが生じた場合に、着呼側ＵＥに関連付けられているホーム・ロケーション・レジスタ（ＨＬＲ）からローミング番号提供（ＰＲＮ）メッセージを受信するステップと、ページング要求をモビリティー・マネージメント・エンティティー（ＭＭＥ）へ送信するステップであって、前記ページング要求が、着呼側ＵＥをページングし始めることを前記ＭＭＥに行わせる、ステップと、着呼側ＵＥがＥＭＭ接続モードにあるということを示すＳＧｓサービス要求メッセージをＭＭＥから受信するステップと、ページング要求への３Ｇネットワーク内での応答を着呼側ＵＥから受信する前に移動局ローミング番号（ＭＳＲＮ）をＰＲＮ肯定応答（ＰＲＮ  Ａｃｋ）メッセージ内に含めてＨＬＲへ送信するステップとを含む。
【００１３】
上述の方法のいくつかの実施形態は、ページング要求がＭＭＥによって肯定応答されるとすぐにＰＲＮ  Ａｃｋメッセージが送信されることをさらに含む。
【００１４】
上述の方法のうちの任意の方法のいくつかの実施形態は、着呼側ＵＥがコールに応答しない場合に、ＩＡＭが受信されるとすぐにコール転送プロセスが開始されることをさらに含む。
【００１５】
上述の方法のうちの任意の方法のいくつかの実施形態は、着呼側ＵＥがページング要求を拒否した場合に、ＩＡＭが受信されるとすぐにコール転送プロセスが開始されることをさらに含む。
【００１６】
上述の方法のうちの任意の方法のいくつかの実施形態は、ＭＭＥからのＳＧＳサービス要求メッセージが受信された場合にガード・タイマーをセットし、そのガード・タイマーが切れた後にＰＲＮ  Ａｃｋメッセージを送信するステップをさらに含む。
【００１７】
上述の方法のうちの任意の方法のいくつかの実施形態は、ガード・タイマーが切れる時間までに着呼側ＵＥがコールに応答しない場合に、ＰＲＮ  ｎａｃｋ（「加入者不在」／「応答なし」）メッセージがＨＬＲへ送信され、コール転送プロセスが開始される。
【００１８】
上述の方法のうちの任意の方法のいくつかの実施形態は、ガード・タイムが切れる前に着呼側ＵＥがページング要求を拒否した場合に、ＰＲＮ  ｎａｃｋ（「加入者不在」／「ユーザ・ビジー」）メッセージがＨＬＲへ送信され、コール転送プロセスが開始される。
【００１９】
上述の方法のうちの任意の方法のいくつかの実施形態は、着呼側ＵＥがＬＴＥ（ロング・ターム・エボリューション）デバイスであり、モバイル終端コールが回線交換ネットワークから生じることをさらに含み、ページング要求を送信するステップが、回線交換ページングをモバイル・デバイス内のＬＴＥ無線機へ送信するステップをさらに含む。
【００２０】
上述の方法のうちの任意の方法のいくつかの実施形態は、ワイヤレス・ネットワークがモバイル終端ローミング転送機能を含むことをさらに含む。
【００２１】
別の実施形態においては、発呼側３Ｇ  ＣＳユーザ機器（ＵＥ）から着呼側ＬＴＥ  ＵＥへモバイル終端コールを配信する場合にプリページング中にＣＳＦＢオペレーションを提供するための方法であって、ゲートウェイ・モバイル・スイッチング・センター（ＧＭＳＣ）においてモバイル終端コールが生じた場合に、着呼側ＬＴＥ  ＵＥに関連付けられているホーム・ロケーション・レジスタ（ＨＬＲ）からローミング番号提供（ＰＲＮ）メッセージを受信するステップと、ページング要求をモビリティー・マネージメント・エンティティー（ＭＭＥ）へ送信するステップであり、前記ページング要求が、着呼側ＬＴＥ  ＵＥをページングし始めることを前記ＭＭＥに行わせる、ステップと、ＳＧｓサービス要求メッセージをＭＭＥから受信するステップと、ページング・プロセスの完了前に移動局ローミング番号（ＭＳＲＮ）をＰＲＮ肯定応答（ＰＲＮ  Ａｃｋ）メッセージ内に含めてＨＬＲへ送信するステップとを含む方法が提供される。
【００２２】
上述の方法のいくつかの実施形態は、ＭＭＥによってＳＧｓサービス要求メッセージを用いてページング要求が肯定応答されるとすぐにＰＲＮ  Ａｃｋメッセージが送信され、ページング・プロセスの完了とは無関係にＧＭＳＣから初期アドレス・メッセージ（ＩＡＭ）が受信されることをさらに含む。
【００２３】
上述の方法のうちの任意の方法のいくつかの実施形態は、着呼側ＬＴＥ  ＵＥがＥＭＭ接続モードにあるということを示すＳＧｓサービス要求メッセージに応答して無応答時コール転送（ＣＦＮＲｙ）タイマーが始動され、そのタイマーが切れる前に着呼側ＬＴＥ  ＵＥがコールに応答しない場合に、ＧＭＳＣからＩＡＭが受信されるとすぐにコール転送プロセスが開始されることをさらに含む。
【００２４】
上述の方法のうちの任意の方法のいくつかの実施形態は、着呼側ＬＴＥ  ＵＥがＳＧｓページング拒否メッセージを用いてページング要求を拒否した場合に、ＧＭＳＣからＩＡＭが受信されるとすぐにコール転送プロセスが開始されることをさらに含む。
【００２５】
上述の方法のうちの任意の方法のいくつかの実施形態は、ＭＭＥからのＳＧｓサービス要求メッセージが受信された場合にガード・タイマーをセットし、そのガード・タイマーが切れたときにＰＲＮ  Ａｃｋメッセージを送信するステップをさらに含む。
【００２６】
上述の方法のうちの任意の方法のいくつかの実施形態は、着呼側ＬＴＥ  ＵＥがＥＭＭ接続モードにあるということを示すＳＧｓサービス要求メッセージに応答して無応答時コール転送（ＣＦＮＲｙ）タイマーが始動され、ＣＦＮＲｙガード・タイマーが切れる前に着呼側ＬＴＥ  ＵＥがコールに応答しない場合に、ＰＲＮ  ｎａｃｋ（「加入者不在」／「応答なし」）メッセージがＨＬＲへ送信され、コール転送プロセスが開始されることをさらに含む。
【００２７】
上述の方法のうちの任意の方法のいくつかの実施形態は、ガード・タイムが切れる前に着呼側ＬＴＥ  ＵＥがＳＧｓページング拒否メッセージを用いてページング要求を拒否した場合に、ＰＲＮ  ｎａｃｋ（「加入者不在」／「ユーザ・ビジー」）メッセージがＨＬＲへ送信され、コール転送プロセスが開始されることをさらに含む。
【００２８】
上述の方法のうちの任意の方法のいくつかの実施形態は、ワイヤレス・ネットワークがモバイル終端ローミング転送機能を含むことをさらに含む。
【００２９】
別の実施形態においては、発呼側ＵＥから着呼側ＵＥへモバイル終端コールを配信するためにテレコミュニケーション・ネットワークにおいて使用するための装置が提供され、前記装置は、モバイル終端コールが生じた場合に、着呼側ＵＥに関連付けられているホーム・ロケーション・レジスタ（ＨＬＲ）からローミング番号提供（ＰＲＮ）メッセージを受信するステップと、ページング要求をモビリティー・マネージメント・エンティティー（ＭＭＥ）へ送信するステップであって、前記ページング要求が、着呼側ＵＥをページングし始めることを前記ＭＭＥに行わせる、ステップと、ＳＧｓサービス要求メッセージをＭＭＥから受信するステップと、ページング要求への応答を着呼側ＵＥから受信する前に移動局ローミング番号（ＭＳＲＮ）をＰＲＮ肯定応答（ＰＲＮ  Ａｃｋ）メッセージ内に含めてＨＬＲへ送信するステップとを実行するように構成されている。
【００３０】
上述の装置のいくつかの実施形態は、ページング要求がＭＭＥによって肯定応答されるとすぐにＰＲＮ  Ａｃｋメッセージが送信されることをさらに含むことができる。
【００３１】
上述の装置のいくつかの実施形態は、着呼側ＵＥがコールに応答しないか、またはページング要求を拒否した場合に、ＩＡＭが受信されるとすぐにコール転送プロセスが開始されることをさらに含むことができる。
【００３２】
上述の装置のいくつかの実施形態は、ＭＭＥからのＳＧＳサービス要求メッセージが受信された場合にガード・タイマーをセットし、そのガード・タイマーが切れた後にＰＲＮ  Ａｃｋメッセージを送信するステップを実行するようにさらに構成されることが可能である。
【００３３】
上述の装置のいくつかの実施形態は、ガード・タイマーが切れる時間までに着呼側ＵＥがコールに応答しないか、またはコールを拒否した場合に、ＰＲＮ  ｎａｃｋメッセージがＨＬＲへ送信され、コール転送プロセスが開始されることをさらに含むことができる。
【００３４】
上述の装置のいくつかの実施形態は、着呼側ＵＥがＬＴＥ（ロング・ターム・エボリューション）デバイスであり、発呼側ＵＥが３Ｇデバイスであることをさらに含むことができ、ページング要求を送信するステップは、回線交換ページングを着呼側ＵＥ内のＬＴＥ無線機へ送信するステップをさらに含む。
【００３５】
本発明の例示的な実施態様の特徴は、説明、特許請求の範囲、および添付の図面から明らかになるであろう。
【図面の簡単な説明】
【００３６】
【図１】ガード・タイマーを伴わないプリページング中のＣＳＦＢの通常のケースを示す図である。
【図２】ＵＥがコールに応答しない場合の、すなわちＣＦＮＲｙケースの図１の実施形態を示す図である。
【図３】ＵＥがコールを拒否する場合の、すなわちＣＦＢケースの図１の実施形態を示す図である。
【図４】ガード・タイマーを伴うプリページング中のＣＳＦＢの通常のケースを示す図である。
【図５】ＵＥがコールに応答しない場合の、すなわちＣＦＮＲｙケースの図４の実施形態を示す図である。
【図６】ＵＥがコールを拒否する場合の図４の実施形態を示す図である。
【図７】ＶＭＳＣがローミング番号を送信する前に発呼側ＵＥがコールを解放する一実施形態を示す図である。
【図８】コールが受信された後にキャンセル・ロケーション・メッセージが受信される場合のＭＴＲＦを使用するシステムにおけるプリページング中のＣＳＦＢの一実施形態を示す図である。
【図９】コールが受信される前にキャンセル・ロケーション・メッセージが受信される場合のＭＴＲＦを使用するシステムにおけるプリページング中のＣＳＦＢの別の実施形態を示す図である。
【図１０】本発明のフローチャートである。
【図１１】回線交換フォールバックのために使用されるエボルブド・パケット・システム（ＥＰＳ）アーキテクチャーを示すブロック図である。
【発明を実施するための形態】
【００３７】
世界中のワイヤレス・ネットワークは、第３世代（３Ｇ）ネットワークからロング・ターム・エボリューション（ＬＴＥ、４Ｇとしても知られている）ネットワークへの更新の過程にある。ＬＴＥネットワークおよびユーザ機器が、ＬＴＥを介して直接音声サービスを完全にサポートするまで、ユーザ機器（ＵＥ）は、回線交換フォールバック（ＣＳＦＢ）手順を実行できなければならず、それによってＬＴＥ  ＵＥは、モバイル終端回線交換コールにとって到達可能になる。詳細には、ＬＴＥネットワークは、モバイル・マネージメント・エンティティー（ＭＭＥ）を含み、そのＭＭＥは、３Ｇ  ＶＭＳＣからページング要求を受信して、それらのページング要求をＬＴＥ  ＵＥに渡すように構成されている。ＬＴＥ上に現在キャンプしているＵＥに関して３Ｇネットワーク内のＧＭＳＣによってモバイル終端コールが受信された場合には、移動局は通常、回線交換ページング要求をＭＭＥから受信し、ＭＭＥは、その回線交換ページング要求を３Ｇネットワーク内のＶＭＳＣから受信した。
【００３８】
プリページングは、ネットワーク・リソースのさらに効率的な使用を提供するために３Ｇネットワークにおいて使用されるソリューションである。プリページングの前に、ＵＥへのモバイル終端コールの通知を受信したＧＭＳＣは、ＨＬＲを介してＶＭＳＣにローミング番号を要求する。ローミング番号が受信されると、ＧＭＳＣは、初期アドレス・メッセージ（ＩＡＭ）をＶＭＳＣへ転送し、次いでＶＭＳＣは、着呼側ＵＥをページングする。ページング・プロセスが完了された後に、ＶＭＳＣは、そのコールを完了する。しかしながら、ＵＥが何らかの理由で、たとえば、そのＵＥが既に別のコールに携わっていたために、またはＶＭＳＣのカバレッジ・エリアの外にいたためにコールに応じなかった場合には、ローミング番号メッセージのやり取りは無駄になった。
【００３９】
プリページングは、ローミング番号をＧＭＳＣへ返信する前にページをＵＥへ送信することをＶＭＳＣに行わせることによって、この問題に対処した。ローミング番号が送信される前にページング・プロセスが完了された状況においては、さらなる情報がローミング番号メッセージ（ＰＲＮ  Ａｃｋ）内に含まれることが可能である。ページングが完了される前にＰＲＮ  Ａｃｋメッセージが送信された場合には、ページングが完了しそうになるとすぐに、ＧＭＳＣからのＩＡＭメッセージがＶＭＳＣにおいて利用可能となり、したがって、ネットワーク・リソースのさらに効率的な使用が依然として提供される。
【００４０】
３ＧからＬＴＥネットワークへの移行の一環として、ＣＳＦＢ状況においてプリページングを取り扱うための手順を提供することが必要である。
【００４１】
図１１は、本発明の実施形態による、３ＧデバイスおよびＬＴＥデバイスを両方とも有する例示的なワイヤレス・ネットワークを示すブロック図である。ユーザ機器１１１０は、３Ｇユーザ・テレストリアル・ラジオ・アクセス・ネットワーク（ＵＴＲＡＮ）１１４０または２Ｇ  ＧＳＭ  ＥＤＧＥラジオ・アクセス・ネットワーク（ＧＥＲＡＮ）１１３０と、サービングＧＰＲＳサポート・ノード（ＳＧＳＮ）１１５０とを介して３ＧネットワークＭＳＣ１１２０に接続される。あるいは、ユーザ機器１１１０はまた、エボルブドＵＴＲＡＮ（Ｅ−ＵＴＲＡＮ）１１６０のＬＴＥネットワークを介してモバイル・マネージメント・エンティティー（ＭＭＥ）１１７０に接続される。要素どうしの間におけるライン上のラベルは、２つの要素の間において使用されるインターフェース・プロトコルを指しており、当技術分野における標準的な技術者にはわかるであろう。ＵＥ１１１０がＭＭＥ１１７０に接続されている場合には、ＣＳコールに関しては、ＵＥ１１０は２Ｇ／３Ｇネットワークへフォールバックする。
【００４２】
図１は、プリページング中にＣＳＦＢを提供するためのシステムの第１の実施形態を示している。初期アドレス・メッセージ（ＩＡＭ（Ａ，Ｂ）、Ａは発呼側当事者番号（ＣＬＩ）を表し、Ｂは着呼側当事者番号を表す）１０２、送信ルーティング情報（ＳＲＩ）１０４、およびローミング番号提供（ＰＲＮ）１０６メッセージが送信される。この実施形態の１つの特徴は、ホーム・ロケーション・レジスタ（ＨＬＲ）２０がコーリング・ラインｉｄをＰＲＮ１０６内に含めることを必要とされるということである。ＰＲＮ１０６に応答して、ＶＭＳＣ３０は、ＣＬＩＰ（コーリング・ライン識別提示）を実行し、次いでＳＧｓインターフェースを使用してページング要求１０８をＭＭＥ４０へ送信する。ＵＥ５０がページングされた場合には、ＶＭＳＣ３０は、移動局ローミング番号（ＭＳＲＮ）をＰＲＮ  ＡＣＫメッセージ１１４内に含めてＨＬＲ２０へ返し、ページング・ステージに留まって、ＵＴＲＡＮ１１４０またはＧＥＲＡＮ１１３０を介したＵＥ１１１０からの応答を待つ。ＵＥ５０が、ＳＧｓサービス要求１１２において示されているようにＥＭＭ接続モード（ＥＰＳモビリティー・マネージメント）にある場合には、ＶＭＳＣ３０はまた、アラーティング・インジケータをＰＲＮ  Ａｃｋ内に含める。ＨＬＲ２０は、ＳＲＩ  ＡＣＫ１１６をＧＭＣＳ１０へ送信し、次いでＧＭＣＳ１０は、アドレス完了メッセージ（ＡＣＭ）１１８を発呼側ＵＥへ送信する。ＭＳＲＮがＳＲＩ１０４内に含まれてＨＬＲから受信された場合には、ＧＭＳＣ１０は、発呼側ＵＥへのリング・バック・トーンを再生し、１２０においてコールをＶＭＳＣ３０へ回送する。ＧＭＳＣ１０は、アラーティング・インジケータがＰＲＮ  ＡＣＫ１１４およびＳＲＩ  ＡＣＫ１１６メッセージ内に含まれている場合に発呼側当事者へのリング・バック・トーンを再生することができるにすぎない。ＨＬＲ２０およびＧＭＳＣ１０が、この機能を含むようにアップグレードされていない場合には、その他のリング・バック・トーン機能が適用されない限り、リング・バック・トーンは再生されない。
【００４３】
１２４においてユーザがコールに応答した場合には、そのコールは通常、ステップ１２６〜１３８において示されているように配信される。これらのステップは、当技術分野における標準的な技術者によって理解されるであろう。
【００４４】
図２において示されている実施形態は、ＵＥ５０がコールに応答しないケースにおける第１の実施形態のオペレーションを示している。信号１０２〜１２０は、図１に関して説明されているものと同様である。この実施形態においては、着呼側ＵＥは、２０２においてコールに応答しない。すべてのケースにおいて、ＶＭＳＣ３０は、ＳＧｓサービス要求（ＥＭＭ接続モード）メッセージ１１２を受信した場合には、無応答時コール転送（ＣＦＮＲｙ）タイマーを（ＣＦＮＲＹがネットワーク内でアクティブであるならば）始動する。ページへの応答が受信される前に２０４においてタイマーが切れた場合には、ＶＭＳＣ３０は、ＧＭＳＣ１０からコールが受信された後にＣＦＮＲｙ手順をトリガーし、２０６においてＩＡＭを適切なロケーションへ転送する。ＣＦＮＲｙ手順は、当技術分野における標準的な技術者によって理解されるであろう。
【００４５】
図３において示されている実施形態は、ＵＥ５０がコールを拒否するケースにおける第１の実施形態のオペレーションを示している。このケースにおいては、図１に関して説明されているように信号１０２〜１２０がやり取りされた後に、ＵＥ５０は、拡張サービス要求（拒否）メッセージ３０４をＭＭＥ４０へ送信することによって、３０２においてコールを拒否する。ＳＧｓページング拒否メッセージ３０６が、ＭＭＥ４０からＶＭＳＣ３０へ送信される。ＶＭＳＣ３０が既にＭＳＲＮをＨＬＲ２０へ返している場合には、ＶＭＳＣ３０は、１２０においてＧＭＳＣ１０からコールが受信された後に、３０８においてＣＦＢ（モバイル加入者ビジー時コール転送）を（これがネットワーク内でアクティブであるならば）トリガーし、３１０においてＩＡＭを適切なロケーションへ転送する。ＣＦＢ手順は、当技術分野における標準的な技術者によって理解されるであろう。
【００４６】
第２の実施形態が、図４において示されている。この実施形態においては、ページング・プロセスをモニタするためにＶＭＳＣ３０においてガード・タイマーが使用される。ガード・タイマーの長さは、オペレータによってフレキシブルに設定されることが可能であるが、好ましい一実施形態においては、ガード・タイマーは、２０秒間、またはＨＬＲ２０内の、およびＧＭＳＣ１０内のモバイル・アプリケーション・パート（ＭＡＰ）タイマーよりも短いピリオドに設定される。ステップ１０２〜１１０は、図１において示されている第１の実施形態と同じである。この実施形態においては、ＶＭＳＣ３０は、４０２においてガード・タイマーがタイムアウトするのを待ち、次いでＰＲＮ  ＡＣＫメッセージ１１４をＭＳＲＮとともにＨＬＲ２０へ送信する。ＶＭＳＣ３０は、ページング・ステージに留まって、ＵＴＲＡＮ１１４０またはＧＥＲＡＮ１１３０を介したＵＥ１１１０からの応答を待ち、その一方でＨＬＲ２０は、ＳＲＩ  ＡＣＫ１１６をＧＭＳＣ１０へ送信し、ＧＭＳＣ１０は、ＩＡＭ１２０をＶＭＳＣ３０へ送信することによって応答する。ＵＥ５０がコールに応答する通常のケースにおいては、そのコールは、ステップ１２６〜１３８において示されているように配信される。これらのステップは、当技術分野における標準的な技術者によって理解されるであろう。
【００４７】
図５において示されている実施形態は、ＵＥ５０がコールに応答しないケースにおける第２の実施形態のオペレーションを示している。このケースにおいては、５０２においてＣＦＮＲｙタイマーがタイムアウトする一方でガード・タイマーが依然として稼働している場合には、ＰＲＮ  ｎａｃｋ（「加入者不在」／「応答なし」）５０４がＨＬＲ２０へ送信される。ＳＲＩ  ＡＣＫ（ＣＦ）メッセージ５０８が、ＨＬＲ２０からＧＭＳＣ１０へ送信され、５１０においてＣＦＮＲｙオペレーションを（アクティブであるならば）トリガーする。ＨＬＲ２０またはＧＭＳＣ１０が、この機能を含むようにアップグレードされていない場合には、ＨＬＲ２０は、着信不能時コール転送（ＣＦＮＲｃ）を（アクティブであるならば）トリガーすることができる。
【００４８】
図６において示されている実施形態は、ＵＥ５０がコールを拒否する一方で６０２においてガード・タイマーが依然として稼働しているケースにおける第２の実施形態のオペレーションを示している。ＵＥ５０は、６０４においてコールを拒否し、拡張サービス要求（拒否）６０８をＭＭＥ４０へ送信し、ＭＭＥ４０は、ＳＧｓページング拒否（ユーザによって拒否される）６１０をＶＭＳＣ３０へ送信する。ＰＲＮ  ｎａｃｋ（「加入者不在」／「ユーザ・ビジー」）メッセージ６１２がＨＬＲ２０へ送信され、次いでＨＬＲ２０は、ＳＲＩ  ＡＣＫ（ＣＦ）６１４をＧＭＳＣ１０へ送信する。これは、６１６においてユーザ・ビジー時コール転送オペレーションを（アクティブであるならば）トリガーする。ＨＬＲ２０またはＧＭＳＣ１０が、この機能を含むようにアップグレードされていない場合には、ＨＬＲ２０は、着信不能時コール転送（ＣＦＮＲｃ）を（アクティブであるならば）トリガーすることができる。
【００４９】
図２、図３、図５、および図６に示されているケースのうちのすべてにおいて、「応答なし」または「ユーザ・ビジー」イベントは、ＶＭＳＣ３０がＭＳＲＮをＨＬＲ２０へ返した後に、ただしコール（ＩＡＭ）がＧＭＳＣ１０から受信される前に生じることが可能である。このケースにおいては、ＶＭＳＣ３０はコールを待ち、次いでコール転送（ＣＦＮＲｙ、ＣＦＢ、またはＣＦＮＲＣ）を（アクティブであるならば）トリガーする。
【００５０】
図７は、ＶＭＳＣ３０がＰＲＮ  ＡＣＫ７０６を送信する前に発呼側ＵＥが７０２においてコールを解放する、第１の実施形態または第２の実施形態に適用可能なケースを示している。このケースにおいては、ＨＬＲ２０がＳＲＩ  ＡＣＫ７０８をＧＭＳＣ１０へ送信すると、ＧＭＳＣ１０は、ＲｅｌｅａｓｅＲｅｓｏｕｒｃｅ（ＭＳＲＮ）７１０をＶＭＳＣ３０へ送信し、次いでＶＭＳＣ３０は、ＳＧｓサービス中止７１２をＭＭＥ４０へ送信する。
【００５１】
図８は、モバイル終端ローミング転送（ＭＴＲＦ）機能を含むようにアップグレードされているワイヤレス・ネットワークにおいて使用するための第３の実施形態を示している。ＭＴＲＦについては、「Ｍｏｂｉｌｅ  Ｔｅｒｍｉｎａｔｉｏｎ  Ｒｏａｍｉｎｇ  Ｆｏｒｗａｒｄｉｎｇ」と題されている２０１２年１月１６日に出願された同時係属の米国特許出願第１３／３５０，９１８号においてさらに詳しく説明されている。図８においては、ページングを行うＶＭＳＣは、古いＶＭＳＣ６０であり、ＧＭＳＣ１０からＩＡＭを受信するのを待つ代わりに、ＰＲＮ１０６に応答してＳＧｓページング１０８をＭＭＥ４０へすぐに送信する。それに応答して、ＭＭＥ４０は、ページング１１０をＵＥ５０へ送信し、ＳＧｓサービス要求１１２を古いＶＭＳＣ６０へ返し、古いＶＭＳＣ６０は次いで、ＰＲＮ  ＡＣＫ１１４とともにローミング番号をＨＬＲ２０へ送信し、またＰＲＮデータを保持する。ユーザがコールに応答した場合には、そのコールは、図８において新たなＶＭＳＣ７０として示されている別のＶＭＳＣへフォールバックすることができる。このケースにおいては、ステップ８０４において、新たなＶＭＳＣ７０上でロケーション更新手順が実行される。ＨＬＲ２０は、８１０において更新され、キャンセル・ロケーション８１２を古いＶＭＳＣ６０へ送信する。次いで、古いＶＭＳＣ６０は、８１６においてページングを停止し、８２０においてＭＴＲＦ要求インジケータとともにＰＲＮを新たなＶＭＳＣ７０へ送信する。新たなＶＭＳＣ７０は、米国特許出願第１３／３５０，９１８号において説明されているようにＭＴＲＦ要求を取り扱う。古いＶＭＳＣ６０は、ＧＭＳＣ１１０からコールを、および新たなＶＭＳＣ７０からＭＳＲＮを受信した後に、８３０においてコールを新たなＶＭＳＣ７０へ回送する。古いＶＭＳＣ７０は、キャンセル・ロケーションをＨＬＲ２０から受信すること、およびＧＭＳＣ１０からコールが受信される前または後にＭＴＲＦを要求することが可能である。図８は、１２０においてコールが受信された後に古いＶＭＳＣ７０がキャンセル・ロケーション・メッセージを受信するケースを示している。
【００５２】
図９において示されている実施形態は、図８において示されている実施形態に類似しているが、ＧＭＳＣ１０からＩＡＭ９０２が受信される前に古いＶＭＳＣ６０がＨＬＲ２０からキャンセル・ロケーション・メッセージを受信するケースを示している。
【００５３】
この様式においては、古いＶＭＳＣ６０がローミング番号をＨＬＲ２０へ返して、ＣＳコールがＧＭＳＣ１０から古いＶＭＳＣ６０に着信した場合には、ＧＭＳＣ１０が古いＭＳＣ／ＶＬＲ６０および新たなＭＳＣ／ＶＬＲ７０から遠く離れているならば、そのコールの不必要な回送が回避される。また、ＧＭＳＣ３０が古いＭＳＣ／ＶＬＲ６０および新たなＭＳＣ／ＶＬＲ７０から長距離にある場合には、コール・セットアップ時間が短縮される。
【００５４】
図１０は、上述の実施形態による、モバイル終端コールをユーザ機器に配信するための例示的なプロセスを示すフローチャートである。モバイル終端コールが生じた場合には、ＧＭＳＣは、ＳＲＩメッセージをＨＬＲへ送信して、１０１０においてＰＲＮメッセージをＶＭＳＣへ送信することをＨＬＲに行わせる。次いでＶＭＳＣは、１０２０においてページング要求をＭＭＥへ送信する。ＵＥがＥＭＭ接続モードにある場合には、ＭＭＥは、１０３０においてＳＧｓサービス要求をＶＭＳＣへ返す。それに応答して、ＶＭＳＣは、１０４０においてＰＲＮ  ＡｃｋをＨＬＲへすぐに返信するか、または１０５０においてガード・タイマーを始動して、そのガード・タイマーが切れたときにＰＲＮ  Ａｃｋを送信する。１０６０または１０７０においてコールが応答された場合には、１０８０において通常のコール処理が進む。しかしながら、ＵＥが応答しないか、またはビジーである場合には、１０９０においてコール転送が実行される。
【００５５】
一例の図１１における装置は、電子コンポーネント、ハードウェア・コンポーネント、およびコンピュータ・ソフトウェア・コンポーネントのうちの１つまたは複数などの複数のコンポーネントを含む。複数のそのようなコンポーネントは、この装置内で結合または分割されることが可能である。この装置の例示的なコンポーネントは、当業者なら理解するであろうが、複数のプログラミング言語のうちの任意のプログラミング言語で書かれた、またはそうしたプログラミング言語を用いて実施される一式のおよび／または一連のコンピュータ命令を採用する、および／または含む。
【００５６】
本明細書において説明されているステップまたはオペレーションは、単に例示を目的としている。本発明の趣旨から逸脱することなく、これらのステップまたはオペレーションに対する多くの変形形態が存在することが可能である。たとえば、これらのステップは、別の順序で実行されることが可能であり、またはステップが追加されること、削除されること、もしくは修正されることが可能である。
【００５７】
本発明の例示的な実施態様について本明細書において詳細に示し、説明してきたが、本発明の趣旨から逸脱することなく、さまざまな修正、追加、代用などを行うことができ、したがってそれらは、添付の特許請求の範囲において定義されている本発明の範囲内にあるとみなされるということが、関連する技術分野における技術者にとっては明らかであろう。
【図１】
0006012772.tif 000002
【図２】
0006012772.tif 000003
【図３】
0006012772.tif 000004
【図４】
0006012772.tif 000005
【図５】
0006012772.tif 000006
【図６】
0006012772.tif 000007
【図７】
0006012772.tif 000008
【図８】
0006012772.tif 000009
【図９】
0006012772.tif 000010
【図１０】
0006012772.tif 000011
【図１１】
0006012772.tif 000012